(57)【要約】【課題】陸屋根の面積を拡げることができる軒構造及び建物を得る。【解決手段】軒部１００は、ユニット建物１０の外壁３１側に配置された天井大梁１０２と、天井大梁１０２に長手方向の一端が固定された片持ち梁１０４Ｂ、１０４Ｃと、片持ち梁１０４Ｂ、１０４Ｃの上部に取付けられた小梁１０６Ａ、１０６Ｂと、小梁１０６Ａ、１０６Ｂの上側に設けられ上面が陸屋根面３２Ａと連続している陸屋根部材１０８と、を有している。ここで、ユニット建物１０では、陸屋根全体の面積が、元の陸屋根３２の面積と陸屋根部材１０８の面積との和となるので、陸屋根の面積を拡げることができる。【選択図】図２
2013019139.tif 000002
【特許請求の範囲】
【請求項１】
建物の外壁側に配置された天井大梁と、
前記天井大梁に長手方向の一端が固定され、他端が前記外壁から外側へ突出された片持ち梁と、
前記片持ち梁の上部に取付けられた小梁と、
前記小梁の上側に設けられ上面が前記建物の陸屋根面と連続している陸屋根部材と、
を有する軒構造。
【請求項２】
前記陸屋根部材は、前記建物の外側方向に水が流れるように傾斜配置され、該陸屋根部材の前記外側方向の端部には雨樋が設けられている請求項１に記載の軒構造。
【請求項３】
前記片持ち梁は、前記天井大梁の長手方向に間隔をあけて複数設けられ、
前記小梁は、複数の前記片持ち梁の上部に跨って取付けられ、
複数の前記片持ち梁の間の空間、及び前記天井大梁と前記小梁との間の空間の少なくとも一方には、前記建物に用いられる設備装置が設けられている請求項１又は請求項２に記載の軒構造。
【請求項４】
複数の前記片持ち梁の下側には、前記設備装置の設置領域を除いた領域を覆う軒天板が設けられている請求項３に記載の軒構造。
【請求項５】
前記設備装置は、霧を噴射する噴霧装置であり、
複数の前記片持ち梁の間の空間には、前記噴霧装置の噴射口を除く周囲を覆う防水部材が設けられている請求項３又は請求項４に記載の軒構造。
【請求項６】
請求項１から請求項５のいずれか１項に記載の軒構造と、
前記陸屋根部材上に設けられ、太陽光パネルを支持する架台が取付けられる取付部と、
を有する建物。
【発明の詳細な説明】
【技術分野】
【０００１】
本発明は、軒構造及び建物に関する。
【背景技術】
【０００２】
特許文献１の建物は、バルコニーの側壁の下端に三方を囲む継ぎ足し部材を継ぎ足し、得られた空間内にシャッターを配置して建物の美観を損なわないようにしている。ここで、特許文献１の建物は、バルコニーの側壁の下端に継ぎ足し部材を継ぎ足しているので、継ぎ足し部材は吊下げられた状態となっており、下側からシャッターを支持する構造にはなっていない。また、バルコニーの下側が前提となっている。
【先行技術文献】
【特許文献】
【０００３】
【特許文献１】特開平５−２２２７６１号公報
【発明の概要】
【発明が解決しようとする課題】
【０００４】
本発明は、陸屋根の面積を拡げることができる軒構造及び建物を得ることが目的である。
【課題を解決するための手段】
【０００５】
請求項１の発明に係る軒構造は、建物の外壁側に配置された天井大梁と、前記天井大梁に長手方向の一端が固定され、他端が前記外壁から外側へ突出された片持ち梁と、前記片持ち梁の上部に取付けられた小梁と、前記小梁の上側に設けられ上面が前記建物の陸屋根面と連続している陸屋根部材と、を有する。
【０００６】
請求項１の発明に係る軒構造では、天井大梁に片持ち梁の一端が固定され、片持ち梁の上部に小梁が取付けられる。そして、小梁の上側には、上面が建物の陸屋根面と連続するように陸屋根部材が取付けられる。これにより、陸屋根の面積は、建物の陸屋根の面積と陸屋根部材の上面の面積との和となるので、陸屋根の面積を拡げることができる。また、建物の外側に軒が設けられるので、建物内へ進入しようとする直射日光の一部をこの軒によって遮蔽することができる。
【０００７】
請求項２の発明に係る軒構造は、前記陸屋根部材は、前記建物の外側方向に水が流れるように傾斜配置され、該陸屋根部材の前記外側方向の端部には雨樋が設けられている。
【０００８】
請求項２の発明に係る軒構造では、雨天時に陸屋根部材の上面に降った雨水は、陸屋根部材の傾斜によって建物の外側方向に流れる。そして、流れた雨水は雨樋で集められ、建物の下方側へ流下する。これにより、陸屋根部材の上面に雨水が溜まるのを防ぐことができる。
【０００９】
請求項３の発明に係る軒構造は、前記片持ち梁は、前記天井大梁の長手方向に間隔をあけて複数設けられ、前記小梁は、複数の前記片持ち梁の上部に跨って取付けられ、複数の前記片持ち梁の間の空間、及び前記天井大梁と前記小梁との間の空間の少なくとも一方には、前記建物に用いられる設備装置が設けられている。
【００１０】
請求項３の発明に係る軒構造では、複数の片持ち梁の間の空間、及び天井大梁と小梁との間の空間の少なくとも一方の空間内に設備装置が設置されるので、別途、設備装置の設置のための空間を建物に形成する必要が無くなり、軒の空き空間を有効利用することができる。
【００１１】
請求項４の発明に係る軒構造は、複数の前記片持ち梁の下側には、前記設備装置の設置領域を除いた領域を覆う軒天板が設けられている。
【００１２】
請求項４の発明に係る軒構造では、設備装置が設置されていない空間が軒天板で覆われるので、軒の見栄えを向上させることができる。
【００１３】
請求項５の発明に係る軒構造は、前記設備装置は、霧を噴射する噴霧装置であり、複数の前記片持ち梁の間の空間には、前記噴霧装置の噴射口を除く周囲を覆う防水部材が設けられている。
【００１４】
請求項５の発明に係る軒構造では、噴霧装置によって軒下の涼しさを演出することができると共に、防水部材によって、軒内部への水の浸入を防ぐことができる。
【００１５】
請求項６の発明に係る建物は、請求項１から請求項５のいずれか１項に記載の軒構造と、前記陸屋根部材上に設けられ、太陽光パネルを支持する架台が取付けられる取付部と、を有する。
【００１６】
請求項６の発明に係る建物では、建物の陸屋根上だけでなく軒の陸屋根部材上にも架台及び太陽光パネルを設置できるので、建物の陸屋根上だけに太陽光パネルを設置する構成に比べて、太陽光パネルの設置面積を増やし、発電量を増やすことができる。
【発明の効果】
【００１７】
以上説明したように、請求項１に記載の本発明に係る軒構造によれば、陸屋根の面積を拡げることができるという優れた効果を有する。
【００１８】
請求項２に記載の本発明に係る軒構造によれば、陸屋根部材の上面に雨水が溜まるのを防ぐことができるという優れた効果を有する。
【００１９】
請求項３に記載の本発明に係る軒構造によれば、軒の空き空間を有効利用することができるという優れた効果を有する。
【００２０】
請求項４に記載の本発明に係る軒構造によれば、軒の見栄えを向上させることができるという優れた効果を有する。
【００２１】
請求項５に記載の本発明に係る軒構造によれば、軒下の涼しさを演出することができると共に、軒内部への水の浸入を防ぐことができるという優れた効果を有する。
【００２２】
請求項６に記載の本発明に係る建物によれば、建物の陸屋根上だけに太陽光パネルを設置する構成に比べて、太陽光パネルの設置面積を増やし、発電量を増やすことができるという優れた効果を有する。
【図面の簡単な説明】
【００２３】
【図１】第１実施形態に係るユニット建物の全体構成図である。
【図２】第１実施形態に係る軒部の縦断面図である。
【図３】（Ａ）、（Ｂ）第１実施形態に係る軒部内のシャッターボックスの配置領域を示す模式図である。
【図４】第１実施形態に係る軒部の先端部の縦断面図である。
【図５】第１実施形態に係る陸屋根に架台及び太陽光パネルが取付けられる状態を示す斜視図である。
【図６】第１実施形態に係る架台の取付部分を示す斜視図である。
【図７】（Ａ）、（Ｂ）第１実施形態に係る軒部にミスト発生装置を設けた第２実施形態の構成を示す模式図である。
【図８】（Ａ）、（Ｂ）第１、第２実施形態に係る軒部に巻き上げ式の簾を設けた他の実施例を示す模式図である。
【図９】（Ａ）、（Ｂ）、（Ｃ）第１実施形態に係る軒部をユニット建物の妻側、桁側の異なる場所に設けた実施例を示す模式図である。
【発明を実施するための形態】
【００２４】
（第１実施形態）
本発明の第１実施形態に係る軒構造及び建物の一例について説明する。
【００２５】
図１には、第１実施形態の建物の一例としてのユニット建物１０が示されている。ユニット建物１０は、一例として、基礎（図示省略）上に組み上げられた１２個（１階、２階共に６個）の建物ユニット１２により構成されている。なお、以後の説明では、ユニット建物１０の桁方向を矢印Ｘ方向、妻方向を矢印Ｙ方向、高さ方向を矢印Ｚ方向とする。
【００２６】
建物ユニット１２は、４本の柱１４と、互いに平行に配置された長短二組の天井大梁１６と、これらの天井大梁１６に対して平行に配置された長短二組の床大梁１８とを含んで構成されており、各梁の端部を天井と床の仕口に溶接することにより、ラーメン構造として構成されている。但し、建物ユニット１２のユニット構成は上記に限られることなく、他の箱形の架構構造としてもよい。
【００２７】
天井大梁１６及び床大梁１８には、断面コ字形状のチャンネル鋼（溝形鋼）が用いられている。そして、天井大梁１６が矩形枠状に組まれて天井フレーム２２が構成されており、床大梁１８が矩形枠状に組まれて床フレーム２４が構成されている。天井フレーム２２と床フレーム２４との間には、前述の４本の柱１４が立設されている。
【００２８】
ここで、天井フレーム２２は、四隅に天井仕口部２６を備えており、この天井仕口部２６に長さが異なる天井大梁１６の長手方向の端部がそれぞれ溶接されている。同様に、床フレーム２４は、四隅に床仕口部２８を備えており、この床仕口部２８に長さが異なる床大梁１８の長手方向の端部がそれぞれ溶接されている。そして、上下方向（図示の矢印Ｚ方向）に対向して配置された天井仕口部２６と床仕口部２８との間に、柱１４の上下端部が溶接により剛接合されることで、建物ユニット１２が構成されている。
【００２９】
また、ユニット建物１０は、陸屋根３２を有しており、陸屋根３２の上側には、一例として、後述する架台４０（図５参照）を用いて４枚の太陽光パネル３４（太陽電池モジュール）が取付けられている。さらに、ユニット建物１０の矢印Ｘ方向における一方（外壁３１側）には、矢印Ｘ方向とは反対側に突出したバルコニー３６が設けられており、バルコニー３６の上方には、軒構造の一例としての軒部１００が設けられている。なお、図１では、軒部１００を模式的に示しており、後述する軒樋１６０（図２参照）等の図示は省略している。
【００３０】
（要部構成）
次に、軒部１００について説明する。
【００３１】
図２に示すように、軒部１００は、ユニット建物１０の外壁３１側に配置された２階の天井大梁１０２と、天井大梁１０２に長手方向（矢印Ｘ方向）の一端が固定され、他端が外壁３１から外側へ突出された片持ち梁１０４と、片持ち梁１０４の上部に取付けられた小梁１０６Ａ、１０６Ｂと、小梁１０６Ａ、１０６Ｂの上側に設けられ上面１０９がユニット建物１０の陸屋根面３２Ａと連続している陸屋根部材１０８と、を有している。なお、天井大梁１０２は、２階に設置された建物ユニット１２の外壁３１側の天井大梁１６に相当する部材であるが、ここでは２階の他の天井大梁１６及び１階に設置された建物ユニット１２の天井大梁１６と区別するために、天井大梁１０２と記載する。
【００３２】
天井大梁１０２の下側には、天井野縁１１２を介して天井材１１４が取り付けられており、天井材１１４の下側には内壁材１１６が立設されている。また、天井大梁１０２の外側（屋外側）には、天井大梁１０２とは間隔をあけて外壁３１が立設されている。外壁３１は、断面コ字形状のブラケット１１８を介して天井大梁１０２の外側に固定されており、外壁３１の一部には、片持ち梁１０４が挿入された貫通孔３１Ａが形成されている。
【００３３】
また、天井大梁１０２の外側には、平面視でコ字形状のブラケット１２２の一方のフランジ部１２２Ａがボルト（図示省略）で固定されている。そして、ブラケット１２２の他方のフランジ部１２２Ｂには、エンドプレート１２４がボルト１２６で固定されている。エンドプレート１２４は、片持ち梁１０４の矢印Ｘ方向の一端に溶接されて一体化されており、エンドプレート１２４がブラケット１２２に固定され、ブラケット１２２が天井大梁１０２に固定されることで、片持ち梁１０４の一端が支持されている。
【００３４】
片持ち梁１０４は、矢印Ｘ方向を長手方向として配置されたＹ−Ｚ断面がコ字形状のチャンネル鋼（溝形鋼）であり、前述のように一端にエンドプレート１２４が溶接されている。なお、片持ち梁１０４は、矢印Ｙ方向に予め設定された間隔をあけて複数設けられている（図３（Ａ）の１０４Ａ、１０４Ｂ、１０４Ｃ、１０４Ｄ参照）。また、片持ち梁１０４の他端には、Ｘ−Ｚ断面がコ字形状の溝形鋼１２８が、Ｙ方向に配置されプレート形状のブラケット１２８Ａを介して天井大梁１０２側に向けて開口した状態で溶接されている。
【００３５】
さらに、片持ち梁１０４の上面（上端）には、Ｘ−Ｚ断面がコ字形状で矢印Ｚ方向（上方）に向けて開口したブラケット１３２、１３４が、矢印Ｘ方向に予め設定された間隔をあけて溶接されている。
【００３６】
小梁１０６Ａは、角筒形状の鋼材で構成されている。そして、小梁１０６Ａは、ブラケット１３２の予め設定した高さ位置に溶接されている。
【００３７】
同様に、小梁１０６Ｂは、角筒形状の鋼材で構成されている。そして、小梁１０６Ｂは、ブラケット１３４の予め設定した高さ位置に溶接されている。ここで、矢印Ｙ方向に見て、小梁１０６Ａは外側（外壁３１から遠い側）、小梁１０６Ｂは内側（外壁３１に近い側）に配置されており、小梁１０６Ａの上面の高さは、小梁１０６Ｂの上面の高さよりも低くなっている。
【００３８】
また、片持ち梁１０４の下面（下端）には、下地木１３６Ａ、１３６Ｂがネジ１３６で固定されている（下地木１３６Ａ内のネジ１３６は図示を省略している）。そして、下地木１３６Ａ、１３６Ｂの下面（下端）には、軒天板１４０が設けられている。
【００３９】
軒天板１４０は、軒部１００において、後述する設備装置の一例としてのシャッターボックス１２０の設置領域を除いた領域の下側を覆う大きさとなっている。そして、軒天板１４０は、Ｘ−Ｙ面と平行に水平に配置された状態で、下地木１３６Ａ、１３６Ｂにネジ１３８を用いて固定されている（下地木１３６Ｂ内のネジ１３８は図示を省略している）。また、軒天板１４０の矢印Ｘ方向の一端（図示の右端）と外壁３１との間には、シャッターボックス１２０が挿入可能となる大きさの開口部１４１が形成されている。
【００４０】
陸屋根部材１０８は、小梁１０６Ａ、１０６Ｂの上面に載置された下層部１０８Ａと、下層部１０８Ａ上に載置された上層部１０８Ｂとで構成されている。下層部１０８Ａは、一例として、ナイロンフィルムからなる絶縁シートと野地板を含んで構成されており、これらが矢印Ｚ方向に積層された多層構造となっている。
【００４１】
上層部１０８Ｂは、ＤＮ鋼板及びＤＮシートからなる葺き材とポリスチレンからなる防露断熱材を含む屋根材で構成されており、上層部１０８Ｂの上面１０９は、陸屋根面３２Ａと連続している。ここで、Ｘ−Ｚ面で見て、外壁３１の外側の位置Ｐを境界位置として、境界位置Ｐよりも内側の上面が陸屋根面３２Ａであり、境界位置Ｐよりも外側が上面１０９となっている。そして、上面１０９が陸屋根面３２Ａと連続している状態とは、上面１０９と陸屋根面３２Ａとの間に隙間が無い状態を意味しており、上面１０９と陸屋根面３２Ａとの高さが異なって境界位置Ｐに段差が生じているものも含む概念である。なお、本実施形態では一例として、陸屋根部材１０８が建物ユニット１２の上側まで延設されている。
【００４２】
前述したように、軒部１００では、小梁１０６Ａの上面の高さが小梁１０６Ｂの上面の高さよりも低くなっているため、陸屋根部材１０８は、外側方向（矢印Ｘ方向とは１８０°反対方向）へ向けて下り傾斜している。即ち、陸屋根部材１０８は、上面１０９上の水が、ユニット建物１０の外側方向に流れるように傾斜配置されている。
【００４３】
一方、シャッターボックス１２０は、中空で直方体状のケース部材１２１を有している。ケース部材１２１は、外壁３１にブラケット（図示省略）を介して固定されている。そして、ケース部材１２１の内側には、両端部が軸受け（図示省略）により回転可能に支持された巻取部１２５が設けられており、巻取部１２５によってシャッター部材１２３が巻き取られている。シャッター部材１２３は、一例として、矩形状の板材（図示省略）が短手方向（図示の上下方向）に複数連結された形状となっている。
【００４４】
また、ケース部材１２１の底部には、シャッター部材１２３が通過可能な大きさの開口部１２１Ａが形成されている。そして、巻取部１２５がモータ等の駆動手段（図示省略）により矢印＋Ｒ方向（図示の時計回り方向）に回転することで、シャッター部材１２３が下方側へ引き出され、巻取部１２５が矢印−Ｒ方向（図示の反時計回り方向）に回転することで、シャッター部材１２３が巻き取られるようになっている。なお、巻取部１２５の駆動方向の設定及び駆動のＯＮ、ＯＦＦは、ユニット建物１０の屋内に設けられた制御パネル（図示省略）を居住者が操作することで行われる。
【００４５】
図３（Ａ）に示すように、片持ち梁１０４は、一例として、矢印Ｙ方向に間隔をあけて設けられた複数の片持ち梁１０４Ａ、１０４Ｂ、１０４Ｃ、１０４Ｄで構成されており、本実施形態では、軒部１００を平面視して、天井大梁１０２と、内側の片持ち梁１０４Ｂ、１０４Ｃと、小梁１０６Ｂとで囲まれた矩形状の領域ＳＡ内にシャッターボックス１２０が設置されている（シャッターボックス１２０の設置領域は斜線で示している）。なお、図３（Ａ）では、シャッターボックス１２０を片持ち梁１０４Ｂと片持ち梁１０４Ｃとの間に設置しているが、片持ち梁１０４Ａと片持ち梁１０４Ｂとの間、あるいは、片持ち梁１０４Ｃと片持ち梁１０４Ｄとの間に設置してもよい。
【００４６】
また、図３（Ｂ）に示すように、１つの建物ユニット１２に対して３本の片持ち梁１０４Ａ、１０４Ｂ、１０４Ｃを用いて、２台のシャッターボックス１２０を設置してもよい。即ち、天井大梁１０２、片持ち梁１０４Ａ、１０４Ｂ、及び小梁１０６Ｂで囲まれた矩形状の領域ＳＢにシャッターボックス１２０を１台、そして、天井大梁１０２、片持ち梁１０４Ｂ、１０４Ｃ、及び小梁１０６Ｂで囲まれた矩形状の領域ＳＣにシャッターボックス１２０を１台設置して、２台のシャッターボックス１２０を設置した軒部１３０を構成してもよい。なお、図３（Ａ）、（Ｂ）では、一例として、建物ユニット１２の天井大梁１６間に架設された複数の小梁１０３を図示している。また、外壁３１、軒天板１４０等の図示は省略している。
【００４７】
一方、図２及び図４に示すように、片持ち梁１０４の他端（先端）に固定された溝形鋼１２８には、平面視でコ字形状の縦桟１４４の一方のフランジ部１４４Ａが、ボルト１４５で固定されている。そして、縦桟１４４の他方のフランジ部１４４Ｂには、Ｙ−Ｚ面に沿って直立した板材１４８がネジ１４９で固定されている。また、縦桟１４４の上側には、矢印Ｙ方向に見てＵ字形状の上桟１４６が設けられており、縦桟１４４の下側には、矢印Ｙ方向に見てＬ字形状の下桟１４６Ａが設けられている。上桟１４６には、板材１４８の上部がネジ１４９で固定されており、下桟１４６Ａには、板材１４８の下部がネジ１４９で固定されている。ここで、陸屋根部材１０８は、板材１４８の上方まで延設されている。
【００４８】
板材１４８の縦桟１４４とは反対側の面には、ブラケット１５２を介して軒先板金１５４が取付けられている。なお、ブラケット１５２及び軒先板金１５４の固定はボルト、ナット、ネジ等の締結手段で行われているが、図示は省略している。
【００４９】
軒先板金１５４は、矢印Ｘ方向に窪んだ複数の溝部１５４Ａが形成されており、軒部１００の側面の中央から下側を覆っている。また、軒先板金１５４の上部には、水切り材１５６が設けられている。水切り材１５６は、板材１４８から矢印Ｘ方向とは反対側へ下り傾斜した傾斜部１５６Ａを有しており、矢印Ｘ方向とは反対側の下方へ水を流すようになっている。さらに、水切り材１５６の上方で且つ陸屋根部材１０８の外側方向（矢印Ｘ方向とは反対方向）の端部には、雨樋の一例としての軒樋１６０が設けられている。
【００５０】
軒樋１６０は、矢印Ｙ方向に見て上方が開口された略コ字形状の部材であり、矢印Ｙ方向の一方に下り傾斜した流路１６１を有している。また、陸屋根部材１０８の外側方向の端部には、水切り材１６２が設けられている。水切り材１６２は、陸屋根部材１０８から軒樋１６０の上方へ下り傾斜しており、陸屋根部材１０８の上面１０９から軒樋１６０へ水を流すようになっている。
【００５１】
図５に示すように、ユニット建物１０の陸屋根３２上及び軒部１００の陸屋根部材１０８上には、架台４０を設置するための取付部４２Ａ、４２Ｂ、４２Ｃ、４２Ｄが設けられている。取付部４２Ａ、４２Ｂ、４２Ｃ、４２Ｄは、外周面にねじ溝が形成され矢印Ｚ方向に突出した円柱状の防水アンカー部材で構成されている。また、取付部４２Ｃ、４２Ｄは、陸屋根３２上で矢印Ｙ方向に間隔をあけて設けられており、取付部４２Ａ、４２Ｂは、軒部１００の陸屋根部材１０８上で矢印Ｙ方向に間隔をあけて設けられている。そして、取付部４２Ａ、４２Ｂ、４２Ｃ、４２Ｄは、ユニット建物１０の平面視で四角形の四隅を構成するように配置されている。
【００５２】
一方、架台４０は、下桟４４、４６と、下桟４４、４６を取付部４２Ａ、４２Ｂ、４２Ｃ、４２Ｄに固定する下桟固定金具４８、４９、５０、５１と、下桟４４、４６上に取付けられる第１上桟５４、５６、及び第２上桟６２、６４と、第１上桟５４、５６、及び第２上桟６２、６４を下桟４４、４６上に固定する上桟固定金具６６、６８、７２、７４と、第１上桟５４と第２上桟６２、第１上桟５６と第２上桟６４に架設されるテンションバー７６、７７、７８、７９と、を含んで構成されている。
【００５３】
なお、下桟４４、４６、下桟固定金具４８、４９、５０、５１、第１上桟５４、５６、第２上桟６２、６４、上桟固定金具６６、６８、７２、７４、テンションバー７６、７７、７８、７９は、それぞれの複数の部材が同様の構成となっているため、以後の説明では、各部材についていずれか１つを説明して残りの部材の説明を省略する。また、上桟固定金具は、図示の手前側と奥側の構成が同様であるため、手前側の上桟固定金具６６、６８、７２、７４のみを図示及び説明して、奥側の上桟固定金具の図示及び説明を省略する。
【００５４】
図６に示すように、下桟４６は、筒状に形成されており、短手方向（矢印Ｙ方向）の側面の下部には、ナット８２Ａが挿入されると共に案内される案内溝４７Ａ（図示の右側）と、ナット８２Ｂが挿入されると共に案内される案内溝４７Ｂ（図示の左側）とが形成されている。また、下桟４６は、上部中央にナット（図示省略）が挿入されると共に案内される案内溝４７Ｃが形成されている。
【００５５】
案内溝４７Ａは、矢印Ｙ方向の手前側に開放されており、ボルト８３Ａを矢印Ｙ方向の手前側から挿入可能となっている。また、案内溝４７Ｂは、矢印Ｙ方向の奥側に開放されており、ボルト８３Ｂを矢印Ｙ方向の奥側から挿入可能となっている。さらに、案内溝４７Ｃは、矢印Ｚ方向（上側）に開放されており、ボルト（図示省略）を矢印Ｚ方向の上側から挿入可能となっている。
【００５６】
下桟固定金具４９は、平面視で略四角形状であり且つ平板状の底壁４９Ａを有している。底壁４９Ａの中央部には、矢印Ｙ方向に長く矢印Ｚ方向に貫通した貫通孔４９Ｂが形成されており、貫通孔４９Ｂは、取付部４２Ｄが挿入可能な大きさとなっている。また、底壁４９Ａの矢印Ｘ方向の両端には、矢印Ｚ方向へ折り曲げられて直立した一組の第１側壁４９Ｃ、４９Ｄが形成されている。
【００５７】
さらに、底壁４９Ａの矢印Ｙ方向の両端には、矢印Ｚ方向へ折り曲げられて直立した一組の第２側壁４９Ｅ、４９Ｆが形成されている。第２側壁４９Ｅには、矢印Ｘ方向に長く矢印Ｙ方向に貫通した貫通孔４９Ｇが形成されており、貫通孔４９Ｇは、ボルト８３Ａの螺合部分のみを挿入可能な大きさとなっている。同様に、第２側壁４９Ｆには、矢印Ｘ方向に長く矢印Ｙ方向に貫通した貫通孔４９Ｈが形成されており、貫通孔４９Ｈは、ボルト８３Ｂの螺合部分のみを挿入可能な大きさとなっている。
【００５８】
第１側壁４９Ｃ、４９Ｄの上端の高さは、第２側壁４９Ｅ、４９Ｆの貫通孔４９Ｇ、４９Ｈの高さよりも低くなっている。そして、第１側壁４９Ｃ、４９Ｄは、上端面に下桟４６の底面が載置されることで、下桟４６を支持するようになっている。また、第２側壁４９Ｅ、４９Ｆの矢印Ｙ方向の間隔は、下桟４６の矢印Ｙ方向の幅よりも僅かに広くなっており、第１側壁４９Ｃ、４９Ｄによって下桟４６が支持された状態で、貫通孔４９Ｇと案内溝４７Ａ、貫通孔４９Ｈと案内溝４７Ｂがそれぞれ連通するようになっている。
【００５９】
ここで、下桟固定金具４９は、貫通孔４９Ｂに取付部４２Ｄを挿入して上面１０９上に底壁４９Ａを載置した状態で、矢印Ｙ方向の位置調整を行った後、取付部４２Ｄにワッシャ８５を介してナット８４を締結することで、取付部４２Ｄに固定される。
【００６０】
第２上桟６２は、断面コ字形状のチャンネル鋼（溝形鋼）であり、下桟４６上に載置される下フランジ６２Ａと、下フランジ６２Ａから直立したウェブ６２Ｂと、ウェブ６２Ｂの上端から所定の方向に延びる上フランジ６２Ｃとで構成されている。下フランジ６２Ａ及び上フランジ６２Ｃは、矢印Ｘ方向へ延びている。ここで、上フランジ６２Ｃは、下フランジ６２Ａと平行ではなく、矢印Ｘ方向から斜め上方へ予め設定された角度（太陽光パネル３４（図５参照）の設置角度）に合わせて傾斜している。また、ウェブ６２Ｂの下部には、矢印Ｙ方向に間隔をあけて並んだ複数の貫通孔である締結孔６２Ｄが形成されている。
【００６１】
上桟固定金具７２は、Ｘ−Ｚ断面がＬ字形状の部材であり、下桟４６上に載置される底壁７２Ａと、底壁７２Ａの矢印Ｘ方向の一端から矢印Ｚ方向に直立した側壁７２Ｂとを有している。底壁７２Ａには、矢印Ｚ方向に貫通した貫通孔７２Ｃが形成されている。また、側壁７２Ｂには、矢印Ｙ方向に間隔をあけて並ぶと共に矢印Ｘ方向に貫通した２箇所の貫通孔７２Ｄが形成されている。２箇所の貫通孔７２Ｄは、第２上桟６２の締結孔６２Ｄと連通可能となる内径及び配置となっている。
【００６２】
ここで、下桟固定金具４９を取付部４２Ｄに取付けた後で、下桟固定金具４９の第１側壁４９Ｃ、４９Ｄ上に下桟４６を載置する。そして、案内溝４７Ａに挿入したナット８２Ａと貫通孔４９Ｇに挿入したボルト８３Ａとを締結し、案内溝４７Ｂに挿入したナット８２Ｂと貫通孔４９Ｈに挿入したボルト８３Ｂとを締結して、下桟４６を固定する。
【００６３】
続いて、上桟固定金具７２を下桟４６上に載置し貫通孔７２Ｃと案内溝４７Ｃが連通した状態で、ボルト及びナット（図示省略）を用いて、下桟４６上に上桟固定金具７２を固定する。そして、下桟４６上に第２上桟６２を載置すると共に貫通孔７２Ｄと締結孔６２Ｄが連通した状態で、ボルト及びナット（図示省略）を用いて、第２上桟６２に上桟固定金具７２を固定する。このようにして、第２上桟６２の一端が下桟４６上に固定される。
【００６４】
図５に示すように、第１上桟５４は、断面コ字形状のチャンネル鋼（溝形鋼）であり、下桟４４、４６上に載置される下フランジ５４Ａと、下フランジ５４Ａから直立したウェブ５４Ｂと、ウェブ５４Ｂの上端から所定の方向に延びる上フランジ５４Ｃとで構成されている。下フランジ５４Ａ及び上フランジ５４Ｃは、矢印Ｘ方向へ延びている。ここで、上フランジ５４Ｃは、下フランジ５４Ａと平行ではなく、矢印Ｘ方向から斜め上方へ予め設定された角度（太陽光パネル３４の設置角度）に合わせて傾斜している。
【００６５】
また、第１上桟５４は、第２上桟６２よりも大型となっており、第２上桟６２よりも陸屋根面３２Ａの中央側に配置されている。そして、ウェブ５４Ｂの下部には、矢印Ｙ方向に間隔をあけて並んだ複数の貫通孔である締結孔５４Ｄが形成されている。締結孔５４Ｄは、下桟４４、４６に上桟固定金具６８、７４を用いて第１上桟５４を固定するときに用いられる。なお、第１上桟５４と第１上桟５６、第２上桟６２と第２上桟６４は、陸屋根面３２Ａの中央部を境として対称となるように配置されている。
【００６６】
一方、第１上桟５４、５６、第２上桟６２、６４の各上面には、太陽光パネル３４の矢印Ｙ方向の端部（フレーム）を挟んで固定するクリップブラケット８８が、矢印Ｙ方向に間隔をあけて複数（一例として各３箇所）取付けられている。また、第１上桟５４の上面と第２上桟６２の上面には、テンションバー７６、７７の一方の端部と他方の端部が締結手段（図示省略）で固定されており、第１上桟５６の上面と第２上桟６４の上面には、テンションバー７８、７９の一方の端部と他方の端部が締結手段（図示省略）で固定されている。
【００６７】
テンションバー７６、７７、７８、７９は、第１上桟５４と第２上桟６２、第１上桟５６と第２上桟６４が近づく方向の外力に対して抵抗すると共に、第１上桟５４と第２上桟６２、第１上桟５６と第２上桟６４が離れる方向の外力に対して引張力を作用させて抵抗するようになっている。これにより、第１上桟５４と第２上桟６２との間隔、及び第１上桟５６と第２上桟６４との間隔が保持されている。
【００６８】
ここで、太陽光パネル３４の取付手順として、下桟固定金具４８、４９、５０、５１を取付部４２Ａ、４２Ｂ、４２Ｃ、４２Ｄに取付ける。そして、下桟固定金具４８、５０に下桟４４を取付け、下桟固定金具４９、５１に下桟４６を取付ける。さらに、下桟４４に上桟固定金具６６、６８等を取付け、下桟４６に上桟固定金具７２、７４を取付ける。
【００６９】
続いて、上桟固定金具６６、６８、７２、７４等を用いて、下桟４４、４６上に下桟４４、４６と直交するように第１上桟５４、５６、及び第２上桟６２、６４を取付ける。そして、第１上桟５４と第２上桟６２、第１上桟５６と第２上桟６４にテンションバー７６、７７、７８、７９を架設し、第１上桟５４、５６、及び第２上桟６２、６４の上面に複数のクリップブラケット８８を取付ける。さらに、複数のクリップブラケット８８に太陽光パネル３４を取付ける。このようにして、ユニット建物１０の陸屋根３２に複数の太陽光パネル３４が取付けられる。
【００７０】
（作用）
次に、第１実施形態の作用について説明する。
【００７１】
図２に示すように、軒部１００では、天井大梁１０２に片持ち梁１０４の一端が固定され、片持ち梁１０４の上部に小梁１０６Ａ、１０６Ｂが取付けられている。そして、小梁１０６Ａ、１０６Ｂの上側には、上面がユニット建物１０の陸屋根面３２Ａと連続するように陸屋根部材１０８が取付けられている。これにより、ユニット建物１０の屋根全体の面積は、陸屋根３２の面積と陸屋根部材１０８の面積との和となるので、陸屋根３２の面積を拡げることができる。そして、ユニット建物１０の外側に軒部１００が突出するので、ユニット建物１０内へ進入しようとする直射日光の一部を軒部１００によって遮蔽することができる。
【００７２】
また、図２及び図４に示すように、軒部１００では、雨天時に陸屋根部材１０８の上面に降った雨水が、陸屋根部材１０８の傾斜によってユニット建物１０の外側方向に流れる。そして、流れた雨水は軒樋１６０で集められ、ユニット建物１０の下方側へ流下する。これにより、陸屋根部材１０８の上面に雨水が溜まるのを防ぐことができる。
【００７３】
さらに、図２及び図３（Ａ）に示すように、軒部１００では、複数の片持ち梁１０４Ｂ、１０４Ｃの間の空間（矢印Ｚ方向で下側の空間）、及び天井大梁１０２と小梁１０６Ｂとの間の空間（矢印Ｚ方向で上側の空間）の少なくとも一方の空間内にシャッターボックス１２０が設置されるので、別途、シャッターボックス１２０の設置のための空間をユニット建物１０内に形成する必要が無くなり、軒部１００の空き空間を有効利用できる。
【００７４】
加えて、図２に示すように、軒部１００では、シャッターボックス１２０が設置されていない空間の下側が軒天板１４０で覆われるので、片持ち梁１０４や小梁１０６Ａ、１０６Ｂが露出するのを防止でき、軒部１００の見栄え（美観）を向上させることができる。また、シャッターボックス１２０の直下には軒天板１４０が無く、開口部１４１によって開放されているため、この開口部１４１からシャッターボックス１２０のメンテナンスや軒部１００内の清掃を行うことができ、軒部１００のメンテナンス性が向上する。
【００７５】
さらに、図５に示すように、ユニット建物１０では、ユニット建物１０の陸屋根３２上だけでなく軒部１００の陸屋根部材１０８上にも複数の太陽光パネル３４を設置できるので、ユニット建物１０の陸屋根３２上だけに太陽光パネル３４設置する構成（比較例）に比べて、太陽光パネル３４の設置面積を増やし、発電量を増やすことができる。
【００７６】
（第２実施形態）
次に、本発明の第２実施形態に係る軒構造及び建物の一例について説明する。なお、前述した第１実施形態と基本的に同一の部材には、前記第１実施形態と同一の符号を付与してその説明を省略する。
【００７７】
図７（Ａ）、（Ｂ）には、第２実施形態の軒構造の一例としての軒部１７０が示されている。軒部１７０は、第１実施形態のユニット建物１０（図２参照）において、シャッターボックス１２０（図２参照）に換えて、設備装置（噴霧装置）の一例としてのミスト発生装置１８０が設けられている。なお、軒部１７０を除く他の構成については、第１実施形態のユニット建物１０と同様であるため説明を省略する。
【００７８】
図７（Ｂ）に示すように、軒部１７０は、複数の片持ち梁１０４Ｂ、１０４Ｃの間の空間、及び天井大梁１０２と小梁１０６Ｂとの間の空間内にミスト発生装置１８０が設置されている。なお、図７（Ｂ）では、軒樋１６０等（図２参照）の図示を省略している。
【００７９】
ミスト発生装置１８０は、高圧ポンプ及び微少ノズル（図示省略）を用いて、噴射口１８２から霧Ｍ（ミスト）を下方側へ噴射する構成となっており、ユニット建物１０内に設けられた操作パネル（図示省略）を居住者が操作することにより動作するようになっている。また、軒部１７０内で、片持ち梁１０４Ｂ、１０４Ｃの間の空間には、噴射口１８２を除いてミスト発生装置１８０の周囲を覆う防水部材の一例としての防水シート１８４が設けられている。防水シート１８４は、撥水性を有する部材で構成されており、軒天板１４０の上側と、ミスト発生装置１８０の側面及び上面とを覆っている。
【００８０】
（作用）
次に、第２実施形態の作用について説明する。
【００８１】
図７（Ａ）、（Ｂ）に示すように、軒部１７０において、ミスト発生装置１８０が動作を開始すると、霧Ｍがバルコニー３６全体へ噴射される。この霧Ｍの気化熱によって空気が冷却されるため、バルコニー３６（軒部１７０の下側）で涼しさを演出することができる。また、軒部１７０内には防水シート１８４が設けられているため、ミスト発生装置１８０の動作中において、軒部１７０内部へ水（霧Ｍ）が浸入するのを防ぐことができる。
【００８２】
さらに、軒部１７０では、片持ち梁１０４Ｂ、１０４Ｃの間の空間、及び天井大梁１０２と小梁１０６Ｂとの間の空間の少なくとも一方の空間内にミスト発生装置１８０が設置されるので、別途、ミスト発生装置１８０の設置のための空間をユニット建物１０内に形成する必要が無くなり、軒部１７０の空き空間を有効利用することができる。
【００８３】
なお、本発明は上記の実施形態に限定されない。
【００８４】
図８（Ａ）、（Ｂ）に示すように、ユニット建物１０（図２参照）において、シャッターボックス１２０（図２参照）に換えて設備装置の一例としての簾ユニット２００を設け、軒構造の一例としての軒部１９０を構成してもよい。なお、軒部１９０を除く他の構成については、第１実施形態のユニット建物１０と同様であるため説明を省略する。
【００８５】
図８（Ｂ）に示すように、軒部１９０は、複数の片持ち梁１０４Ｂ、１０４Ｃの間の空間、及び小梁１０６Ａと小梁１０６Ｂとの間の空間内に簾ユニット２００が設置されている。また、軒天板１４０は、簾ユニット２００の設置領域を除く軒部１９０の下方側の部位を覆って設けられている。なお、図８（Ｂ）では、軒樋１６０等（図２参照）の図示を省略している。
【００８６】
簾ユニット２００は、回転可能に支持された巻取部２０４を有しており、巻取部２０４の回転によって、簾２０２が巻取り又は引き出し可能となっている。ここで、簾２０２を下方側へ引き出すことで、バルコニー３６へ入射する太陽光が遮断されるため、バルコニー３６（軒部１９０の下側）で涼しさを演出することができる。このように、小梁１０６Ａ、１０６Ｂ間の空間を有効利用してもよい。
【００８７】
また、第１実施形態の軒部１００（第２実施形態の軒部１７０及び他の実施例である軒部１９０も含む）の配置は、図９（Ａ）に示すような妻側配置に限らず、桁側配置（図示省略）であってもよい。さらに、第１実施形態の軒部１００（第２実施形態の軒部１７０及び他の実施例である軒部１９０も含む）の配置は、図９（Ｂ）に示すように、桁面セットバックされた場所の妻側配置でもよく、あるいは、図９（Ｃ）に示すように、妻面セットバックされた場所の桁側配置でもよい。
【００８８】
加えて、軒部１００内にシャッターボックス１２０、ミスト発生装置１８０、簾ユニット２００等の設備装置を設置するとき、複数の片持ち梁１０４と天井大梁１０２で囲まれた空間のみに設置して、小梁１０６Ｂと天井大梁１０２とで囲まれた空間、あるいは、小梁１０６Ａと小梁１０６Ｂとで囲まれた空間を使用しなくてもよい。逆に、小梁１０６Ｂと天井大梁１０２とで囲まれた空間のみを用いてもよい。
【００８９】
また、軒部に使用する片持ち梁及び小梁の数は、各実施形態で示した数とは異なる数であってもよい。そして、片持ち梁１０４は、ブラケット１２２を介さずに天井大梁１０２に直接取付けられていてもよい。
【００９０】
太陽光パネル３４の数は、４枚に限らず、他の枚数であってもよい。また、架台４０に用いる下桟、上桟、下桟固定金具、第１上桟、第２上桟、上桟固定金具、及びテンションバーの数は、実施形態とは異なる他の数であってもよい。
【符号の説明】
【００９１】
１０  ユニット建物（建物の一例）
３１  外壁
３２Ａ  陸屋根面
３４  太陽光パネル
４０  架台
４２Ａ  取付部
４２Ｂ  取付部
４２Ｃ  取付部
４２Ｄ  取付部
１００  軒部（軒構造の一例）
１０２  天井大梁
１０４  片持ち梁
１０６Ａ  小梁
１０６Ｂ  小梁
１０８  陸屋根部材
１２０  シャッターボックス（設備装置の一例）
１４０  軒天板
１６０  軒樋（雨樋の一例）
１７０  軒部（軒構造の一例）
１８０  ミスト発生装置（噴霧装置、設備装置の一例）
１８２  噴射口
１８４  防水シート（防水部材の一例）
１９０  軒部（軒構造の一例）
２００  簾ユニット（設備装置の一例）
【図１】
2013019139.tif 000003
【図２】
2013019139.tif 000004
【図３】
2013019139.tif 000005
【図４】
2013019139.tif 000006
【図５】
2013019139.tif 000007
【図６】
2013019139.tif 000008
【図７】
2013019139.tif 000009
【図８】
2013019139.tif 000010
【図９】
2013019139.tif 000011